(57)【要約】【課題】電動機によって駆動されるファンと、ケーシングおよび捕集フードを有し、前記捕集フードの吸込口には、内部に噴流ノズルを有するダクトを有し、誘引効果により空気を吸い込むようにし、掃除性を向上したレンジフードを提供する。【解決手段】電動機１によって駆動されるファン２と、ファンにより油煙を捕集するフード３と油煙を集塵捕集するフイルター４を有し、内部に噴流ノズル６と前記噴流ノズルを囲むように取り付けたガイド７を有するダクト８を有し、噴流ノズル６からの噴流による誘引効果により、吸込口５から空気が誘引、吸引され、その結果、油煙を含んだ空気はファン２には接触しないので、ファン２に油が付着することもなく、掃除性が良くなる。【選択図】図１
2007032928.tif 000002
【特許請求の範囲】
【請求項１】
電動機によって駆動されるファンと油煙を含む空気を吸引する吸込口と空気を吹出す吐出口と油煙を捕集する捕集フードと前記捕集フードにより捕集され前記吸込口から吸引された油煙を含む空気中の油煙を集塵捕集するフイルターと空気を前記吐出口へ導くダクトを有し、前記ファンを通過せずに前記吸込口から油煙を含む空気を吸引し前記吐出口へ前記フイルターにより油煙が集塵捕集された空気を排気するようにしたことを特徴としたレンジフード。
【請求項２】
電動機によって駆動されるファンと油煙を含む空気を吸引する吸込口と空気を吹出す吐出口と油煙を捕集する捕集フードと前記捕集フードにより捕集され前記吸込口から吸引された油煙を含む空気中の油煙を集塵捕集するフイルターと空気を前記吐出口へ導くダクトと空気を噴流させる噴流ノズルとそれを囲むガイドを有し、前記噴流ノズルは前記ファンの吹き出し空気を前記吐出口方向に噴流し、その噴流による誘引効果により前記吸込口から油煙を含む空気を吸引し前記吐出口に前記フイルターにより油煙が集塵捕集された空気を排気するようにしたレンジフード。
【請求項３】
噴流ノズルを並列に複数設置し、吸込口も複数個有し、吐出口は１個有する請求項１または２記載のレンジフード。
【請求項４】
噴流ノズルを並列に複数設置し、吸込口を１個、吐出口も１個有する請求項１または２記載のレンジフード。
【請求項５】
噴流ノズルは１個で、吸込口を並列に複数設置した請求項１または２記載のレンジフード。
【請求項６】
ダクト内部に噴流ノズルを備え、前記ダクトの内壁面下部には油回収箱を設置した請求項１〜５いずれか記載のレンジフード。
【請求項７】
ファンを、屋外に設置した請求項１〜６いずれか記載のレンジフード。
【発明の詳細な説明】
【技術分野】
【０００１】
本発明は、台所などに使用されるレンジフードに関するものである。
【背景技術】
【０００２】
従来、この種のレンジフードは家庭や事務所で使用されているものがあった（例えば特許文献１参照）。
【０００３】
以下、この種のレンジフードについて、図７を参照しながら説明する。
【０００４】
図７に示すように、レンジフード１０１の前面板１０２は傾斜しており、前面板１０２の上部にフイルター１０３と、吸込口１０４を設け、内部に遠心ファン１０５を装備してある。
【０００５】
上記構成により、遠心ファン１０５が回転すると、油煙を含んだ空気が前面板１０２に沿って流れ、吸込口１０４から油煙を含んだ空気が吸引され、フイルター１０３で油が捕集され、油が捕集された空気は遠心ファン１０５を通って排気される。しかし、フイルター１０３で捕集しきれなかった油を含んだ空気は遠心ファン１０５を通って排気されるが、排気時に遠心ファン１０５に付着し遠心ファン１０５はレンジフード１０１内部にあるので、掃除性は難しい。フイルター１０３の油除去の集塵性能は６０〜９０％程度であり、残り１０〜４０％程度の油煙がフイルター１０３に集塵、除去されることなく流出し、遠心ファン１０５を通り排気される。したがって、遠心ファン１０５が、フイルター１０３により集塵、除去されているが集塵、除去されずに残存している油煙を含んだ空気に暴露され、油が付着することとなる。
【特許文献１】特開平１−１０７０３９号公報
【発明の開示】
【発明が解決しようとする課題】
【０００６】
このような従来のレンジフードでは、調理の油煙が、フイルターでは完全に捕りきれずに、ファンに付着し、掃除しにくい課題があり、掃除性を向上することが要求されている。
【０００７】
本発明は、このような従来の課題を解決するものであり、ファンを通過させることなく誘引効果により空気を吸い込むようにして、油がファンに付着しない掃除性を向上したレンジフードを提供することを目的としている。
【課題を解決するための手段】
【０００８】
本発明のレンジフードは、上記目的を達成するために、電動機によって駆動されるファンと油煙を含む空気を吸引する吸込口と空気を吹出す吐出口と油煙を捕集する捕集フードと前記捕集フードにより捕集され前記吸込口から吸引された油煙を含む空気中の油煙を集塵捕集するフイルターと空気を前記吐出口へ導くダクトを有し、前記ファンを通過せずに前記吸込口から油煙を含む空気を吸引し前記吐出口へ前記フイルターにより油煙が集塵捕集された空気を排気するようにしたことを特徴としたものである。
【０００９】
本発明によれば、油煙を含む空気はファンを通らないので、ファンに油煙が付着することなく、課題となっている掃除性が向上したレンジフードが得られる。
【００１０】
また、他の手段は、電動機によって駆動されるファンと油煙を含む空気を吸引する吸込口と空気を吹出す吐出口と油煙を捕集する捕集フードと前記捕集フードにより捕集され前記吸込口から吸引された油煙を含む空気中の油煙を集塵捕集するフイルターと空気を前記吐出口へ導くダクトと空気を噴流させる噴流ノズルとそれを囲むガイドを有し、前記噴流ノズルは前記ファンの吹き出し空気を前記吐出口方向に噴流し、その噴流による誘引効果により前記吸込口から油煙を含む空気を吸引し前記吐出口に前記フイルターにより油煙が集塵捕集された空気を排気するようにしたものである。
【００１１】
本発明によれば、油煙を含む空気はファンを通らないので、ファンに油煙が付着することなく、課題となっている掃除性が向上したレンジフードが得られる。
【００１２】
また、他の手段は、噴流ノズルを並列に複数設置し、吸込口も複数個有し、吐出口は１個有するレンジフードとしたものである。
【００１３】
本発明によれば、油煙を含む空気はファンを通らないので、ファンに油煙が付着することなく、課題となっている掃除性が向上したレンジフードが得られる。
【００１４】
また、他の手段は、噴流ノズルを並列に複数設置し、吸込口を１個、吐出口も１個有する構成としたものである。
【００１５】
本発明によれば、油煙を含む空気はファンを通らないので、ファンに油煙が付着することなく、課題となっている掃除性が向上したレンジフードが得られる。
【００１６】
また、他の手段は、噴流ノズルは１個で、吸込口を並列に複数設置したしたものである。
【００１７】
本発明によれば、油煙を含む空気はファンを通らないので、ファンに油煙が付着することなく、課題となっている掃除性が向上したレンジフードが得られる。
【００１８】
また、他の手段は、ダクト内部に噴流ノズルを備え、前記ダクト内の内壁面下部には油回収箱を設置したものである。
【００１９】
本発明によれば、油煙を含む空気はファンを通らないので、ファンに油煙が付着することなく、課題となっている掃除性が向上したレンジフードが得られる。
【００２０】
また、他の手段は、ファンを、屋外に設置したものである。
【００２１】
本発明によれば、油煙を含む空気はファンを通らないので、ファンに油煙が付着することなく、課題となっている掃除性が向上したレンジフードが得られる。
【発明の効果】
【００２２】
本発明によれば、油煙を含む空気はファンを通らないので、ファンに油煙が付着することなく、課題となっている掃除性が向上したレンジフードを提供することができる。
【発明を実施するための最良の形態】
【００２３】
本願発明は、電動機によって駆動されるファンと油煙を含む空気を吸引する吸込口と空気を吹出す吐出口と油煙を捕集する捕集フードと前記捕集フードにより捕集され前記吸込口から吸引された油煙を含む空気中の油煙を集塵捕集するフイルターと空気を前記吐出口へ導くダクトと空気を噴流させる噴流ノズルとそれを囲むガイドを有し、前記噴流ノズルは前記ファンの吹き出し空気を前記吐出口方向に噴流し、その噴流による誘引効果により前記吸込口から油煙を含む空気を吸引し前記吐出口に前記フイルターにより油煙が集塵捕集された空気を排気するようにした構成であり、ファンを通さずに排気することができそのためフイルターで捕集しきれなかった油煙がファンに付着することなく、掃除性を向上したレンジフードを提供することができる。
【００２４】
以下に、本発明の実施の形態について、図面を参照しながら説明する。
【００２５】
（実施の形態１）
図１は本発明の実施の形態１におけるレンジフードの断面図である。
【００２６】
図１において、電動機１によって駆動されるファン２と油煙を捕集するフード３とフード３により捕集された油煙を含む空気中の油煙を集塵捕集するフイルター４を有し、ファン２により吸込口５から油煙を含んだ空気が吸引され、フード３により油煙が捕集され、そのフード３により捕集された油煙を含んだ空気中の油がフイルター４により集塵捕集される。内部に空気を噴流させる噴流ノズル６とこの噴流ノズル６を囲むように取り付けたガイド７有するダクト８を有し、ファン２の吹き出し空気を噴流ノズル６から噴流するようにしている。
【００２７】
上記構成において、ダクト８の外にあるファン２が回転すると、ファン２からの空気は、噴流ノズル６から吹き出る。また噴流ノズル６を取り囲むようにガイド７を設けているので、噴流ノズル６から高速の噴流が発生し、その結果ダクト８と連通している吸込口５から空気が誘引され、その誘引された油煙を含んだ空気中の油煙がフード３により捕集され、次に、フイルター４により油煙が集塵捕集され、その後吐出口９から油煙を含んだ空気が排気される。フイルター４の油煙の集塵率は６０〜９０％程度であり、残り１０〜４０％程度がフイルター４に集塵されることなく流出するが、ファン２を通過することなく吐出口９から排気される。
【００２８】
これにより、フイルター４で集塵、除去しきれずに残存している油煙を含んだ空気はファン２には接触しないので、ファン２に油が付着することもなく、掃除性が良くなる。
【００２９】
（実施の形態２）
図２は本発明の実施の形態２におけるレンジフードの断面図である。
【００３０】
なお、実施の形態１と同一部分については同一番号を付し、詳細な説明を省略する。
【００３１】
電動機１によって駆動されるファン２と、油煙を捕集するフード３と、このフード３により捕集された油煙を含む空気中の油煙を集塵捕集するフイルター４を有し、内部に噴流ノズル６と、この噴流ノズル６を取り囲むように設けたガイド７を設けたダクト８を有し、ファン２の吹き出し空気は噴流ノズル６から噴流するようにしている。さらに、噴流ノズル６およびダクト８を並列に複数設置している。
【００３２】
上記構成において、ファン２が回転すると噴流ノズル６から高速の噴流が発生し、ダクト８と連通している吸込口５から空気が誘引、吸引され、フード３により油煙を含んだ空気が捕集され、そのフード３により捕集された油煙を含む空気中の油煙がフイルター４により集塵捕集され、ファン２を通過することなく吐出口９から排気される。噴流ノズル６およびガイド７およびダクト８は複数設置されているので、低圧力損失で多くの空気を広範囲から吸引することができる。
【００３３】
これにより、油煙を含んだ空気はファン２には接触しないので、ファン２に油が付着することもなく、掃除性が良くなる。
【００３４】
（実施の形態３）
図３は本発明の実施の形態３におけるレンジフードの断面図である。
【００３５】
なお、実施の形態１または２と同一部分については同一番号を付し、詳細な説明を省略する。
【００３６】
図３に示すように、電動機１によって駆動されるファン２と、油煙を捕集するフード３と油煙を集塵捕集するフイルター４を有し、内部に噴流ノズル６と、この噴流ノズル６を囲むようにガイド７を設けたダクト８を有し、ファン２の吹き出し空気は噴流ノズル６から噴流するようにしている。さらに、噴流ノズル６およびガイド７およびダクト８を並列に複数設置し、吸込口５を１個、吐出口９も１個で構成している。
【００３７】
この結果、吐出配管１０も１個となり安価に工事ができ、また吸込口５も１個となり、吸引力も向上し、集中して吸引したい場合には威力を発揮する。
【００３８】
これにより、油煙を含んだ空気はファン２には接触しないで吐出口９から排気されるので、ファン２に油が付着することもなく、掃除性が良くなる。
【００３９】
（実施の形態４）
図４は本発明の実施の形態４におけるレンジフードの断面図である。
【００４０】
なお、実施の形態１乃至３のいずれかと同一部分については同一番号を付し、詳細な説明を省略する。
【００４１】
図４に示すように、電動機１によって駆動されるファン２と、油煙を捕集するフード３と油煙を捕集するフイルター４を有し、内部に噴流ノズル６と、この噴流ノズル６を囲むようにガイド７を設けたダクト８を有し、ファン２の吹き出し空気は噴流ノズル６から噴流するようにしている。さらに、噴流ノズル６および前記噴流ノズル６を取り囲むガイド７は１個で、ダクト８から分岐させて複数の吸込ダクト１１を設置している。
【００４２】
上記構成において、噴流ノズル６からの噴流による誘引効果により、複数の吸込ダクト１１と連通している複数の吸込口１２から空気が誘引、吸引される。
【００４３】
これにより、安価で、かつ、多くの空気を広範囲から吸引することができる。また、油煙を含んだ空気はファン２には接触しないので、ファン２に油が付着することもなく、掃除性が良くなる。
【００４４】
（実施の形態５）
図５は本発明の実施の形態５におけるレンジフードの断面図である。
【００４５】
なお、実施の形態１乃至４のいずれかと同一部分については同一番号を付し、詳細な説明を省略する。
【００４６】
図５に示すように、電動機１によって駆動されるファン２と、油煙を捕集するフード３と油煙を捕集するフイルター４を有し、内部に噴流ノズル６と、この噴流ノズル６を囲むようにガイド７を設けたダクト８を有し、ファン２の吹き出し風は噴流ノズル６から噴流するようにしている。さらに、噴流ノズル６を内部に有するダクト８の壁面１３の下部１４には油回収箱１５を設置している。
【００４７】
これにより、油煙を含んだ空気はファン２には接触しないので、ファン２の掃除は不要となるだけでなく、油煙を含んだ空気がダクト８の壁面に接触するなどして油がダクト８の壁面１３に付着し、その付着した油がダクト８の壁面１３を伝って落下してくるダクト８の壁面１３の下部１４に油回収箱１５を備えており、油回収箱１５にたまった油を容易に回収することができるので、掃除性がさらに良くなる。
【００４８】
（実施の形態６）
図６は本発明の実施の形態６におけるレンジフードの断面図である。
【００４９】
なお、実施の形態１乃至５のいずれかと同一部分については同一番号を付し、詳細な説明を省略する。
【００５０】
図６に示すように、電動機１によって駆動されるファン２と、油煙を捕集するフード３と油煙を集塵捕集するフイルター４を有し、内部に噴流ノズル６を有するダクト８を有し、ファン２の吹き出し風は噴流ノズル６から噴流するようにしている。さらに、噴流ノズル６に送風するファン２を、屋外に設置している。
【００５１】
上記構成において、ダクト８と連通している吸込口５から空気が誘引されるが、この誘引空気は、フード３の中央付近の複数の吸込口１２から吸引される。また、噴流ノズル６に送られる空気は、屋外に設置されたファン２より送付される。
【００５２】
これにより、油煙を含んだ空気はファン２には接触しないので、ファン２の掃除は不要となるだけでなく、ファン２は屋外に設置されているので、室内騒音は小さくて済む。
【産業上の利用可能性】
【００５３】
本発明のレンジフードは、油煙を含む空気はファンを通らないので、ファンに油煙が付着することなく、課題となっている掃除性が向上したレンジフードを提供することができる。
【図面の簡単な説明】
【００５４】
【図１】本発明の実施の形態１のレンジフードの側断面図
【図２】本発明の実施の形態２のレンジフードの側断面図
【図３】本発明の実施の形態３のレンジフードの側断面図
【図４】本発明の実施の形態４のレンジフードの側断面図
【図５】本発明の実施の形態５のレンジフードの側断面図
【図６】本発明の実施の形態６のレンジフードの側断面図
【図７】従来のレンジフードの側断面図
【符号の説明】
【００５５】
１    電動機
２    ファン
３    フード
４    フイルター
５    吸込口
６    噴流ノズル
７    ガイド
８    ダクト
９    吐出口
１０  吐出配管
１１  吸込ダクト
１２  複数の吸込口
１３  壁面
１４  下部
１５  油回収箱
【図１】
2007032928.tif 000003
【図２】
2007032928.tif 000004
【図３】
2007032928.tif 000005
【図４】
2007032928.tif 000006
【図５】
2007032928.tif 000007
【図６】
2007032928.tif 000008
【図７】
2007032928.tif 000009